(57)【要約】【課題】本発明の目的は、取っ手部やくぼみ部を必要とせず、容易に扉を開閉することができるとともに、取っ手部やくぼみ部がないため美観に優れた吊り戸棚を提供することにある。【解決手段】本発明による吊り戸棚２００は、一端にヒンジを有して開閉する１以上の扉２１０と、扉２１０の下端と略等しい高さの下面を備えた底板２２０とを備え、底板２２０の前面は扉２１０から所定間隔離隔しており、さらに、底板２２０の前面に底板２２０と扉２１０との隙間を封止する封止部材２３０とを備え、封止部材の下面２３０ａは底板の下面２２０ａよりも高く形成したことを特徴とする。【選択図】図２
2008253325.tif 000002
【特許請求の範囲】
【請求項１】
任意の１軸を片端に備え、前記軸を中心に回転自在な１以上の扉と、
前記扉の下端と略等しい高さの下面を備えた底板とを備え、
前記底板の前面の少なくとも回動端近傍を前記扉から所定間隔離隔しており、
さらに、前記底板の前面に該底板と前記扉との隙間を封止する封止部材とを備え、
前記封止部材の下面は前記底板の下面よりも高く形成したことを特徴とする吊り戸棚。
【請求項２】
前記封止部材は、
前記底板の上面から連続的に延伸されて前記扉に到る棚板部と、
前記底板の前面に当接する位置決め部とを備え、
前記棚板部は、当該吊り戸棚の奥側に向かって高さが低くなるように傾斜していることを特徴とする請求項１記載の吊り戸棚。
【請求項３】
前記封止部材は、
前記底板に取り付けられた状態における前面側に、前記扉に当接するパッキンを一体的に形成したことを特徴とする請求項１記載の吊り戸棚。
【請求項４】
前記封止部材は樹脂材料からなり、押出成形によって形成していることを特徴とする請求項１記載の吊り戸棚。
【発明の詳細な説明】
【技術分野】
【０００１】
本発明は、キッチンなどにおいて上方に設置される吊り戸棚に関する。
【背景技術】
【０００２】
厨房において、システムキッチン等の厨房家具の上部には空間が空いているため、キッチンの上方に吊り戸棚を設置している場合が多い。従前はキッチンが壁面に沿って設置されていたために吊り戸棚も壁面に取り付けられていた。しかし近年はキッチンの両側に調理スペースと居住空間が配置される対面キッチンや、部屋の中途部にキッチンが配置されるアイランド式キッチンなど、必ずしもキッチンが壁面に沿っていない構成も見受けられる。これらの場合、吊り戸棚のために壁面を設ける場合もあるが、天井に取り付ける構成もある。
【０００３】
上記吊り戸棚の扉は、生活様式の西洋化や戸棚内部を有効利用する等の理由から、引き戸から開き戸（例えば一端にヒンジを有して開閉する扉）へ移行してきている。
【０００４】
一般に開き戸には、例えば特許文献１（特開平１０−２９０７２４）に示すように、その前面に扉を開閉するための取っ手が設けられている。取っ手は平坦な扉において目立つものであるから、使い勝手もさることながら、デザイン状のワンポイントとなりうる。そのため様々な形状、材質の取っ手が考案され提供されているが、取っ手がない（もしくは目立たない）というのもまた一つのデザインである。
【０００５】
取っ手を目立たなくするための構成の１つとしては、扉の幅いっぱいに折り返し形状の溝を設け、手指をかけることが可能にしたものがある。また扉の板の下面または側面にくぼみを設け、手指をかけられるようにしたものもある。さらには、押し込むことによってラッチが解除されて扉をわずかに開かせるラッチ機構を設けた構成も提供されている。さらに、扉の下端を棚の底板の下面よりも下になるように延伸させ、扉裏面の棚からはみ出た部分に手指をかけることを可能にしたものもある。
【０００６】
上述した吊り戸棚の扉前面に設置された取っ手もしくはくぼみは、通常は使用者の手の届く範囲すなわち前面下部に設置されている。
【特許文献１】特開平１０−２９０７２４号公報
【発明の開示】
【発明が解決しようとする課題】
【０００７】
しかし、吊り戸棚は、コンロの斜め上部もしくはシンクの上部に設置されることが多いため、コンロにおける調理による油煙や湯気に曝されやすく、ホコリや空気中の汚れを吸着して固着させやすい。取っ手部やくぼみ部は平滑な構造をしていないため、これらに付着した油汚れや水汚れ等を除去するために掃除をするのは苦労を伴う。
【０００８】
上記のように掃除が困難になるため、取っ手部もしくはくぼみ部が不衛生となったり、取っ手部もしくはくぼみ部が扉と比較して特に汚れ、吊り戸棚全体の美観を損ねたりするおそれがあった。
【０００９】
また、近年消費者の趣向が多様化する傾向にあるため、取っ手を設けるとすればその様式のバリエーションも多種類にわたって用意する必要があり、製造コスト高になっていた。
【００１０】
また、扉の下端を棚の底板の下面よりも下になるように延伸させた吊り戸棚を横方向から見た場合、扉が下方向に突出しているため、吊り戸棚全体の美観を損ねるおそれがあった。
【００１１】
本発明の目的は、かかる技術的背景に鑑みてなされたものであり、吊り戸棚に設置された扉の前面に取っ手やくぼみを必要とせず、容易に開閉可能な扉を有する吊り戸棚を提供することにある。
【課題を解決するための手段】
【００１２】
上記課題を解決するために、本発明にかかる吊り戸棚の代表的な構成は、任意の一軸を片端に備え、前記軸を中心に回転自在な１以上の扉と、扉の下端と略等しい高さの下面を備えた底板とを備え、底板の前面は扉から所定間隔離隔しており、さらに、底板の前面に底板と扉との隙間を封止する封止部材とを備え、封止部材の下面は底板の下面よりも高く形成したことを特徴とする。
【００１３】
すなわち、底板の前面を扉から所定間隔離隔し、封止部材の下面を底板の下面よりも高く形成することによって、扉の裏面と吊り戸棚の底板の間に空間が形成される。この空間に手指を掛けることにより、扉前面に取っ手もしくはくぼみを必要とせず、容易に開閉可能な吊り戸棚が提供される。
【００１４】
また扉の下端と底板の下面の高さを略等しく構成したことにより、デザイン上の一体感が生じ、美観を向上させることができる。
【００１５】
また封止部材は、底板の上面から連続的に延伸されて扉に到る棚板部と、底板の前面に当接する位置決め部とを備えていてよい。封止部材の棚板部は底板の上面から連続的に延伸されるため、底板と封止部材の棚板の段差が最小限に抑えられる。これにより吊り戸棚に収納された物品をスムーズに出し入れすることが可能となる。
【００１６】
さらに、封止部材に底板の前面に当接する位置決め部を備えることにより、封止部材を吊り戸棚の底板に設置する際に、封止部材の横方向が吊り戸棚の奥行き方向にずれるおそれがなくなり、容易に取り付けることができる。
【００１７】
また封止部材の棚板部は、吊り戸棚の奥側に向かって高さが低くなるように傾斜していてよい。これにより吊り戸棚に収納された物品が落下するおそれを極めて少なくし、さらに吊り戸棚の奥部に物品をスムーズに収納することが可能となる。
【００１８】
また封止部材の前面側に扉に当接するパッキンを一体的に形成してよい。これにより封止部材と扉の裏面の間に形成された空間から虫やホコリ等の汚染物が吊り戸棚内部に侵入するのを防ぐことができる。
【００１９】
また封止部材は樹脂材料からなり、押出成形によって形成してよい。これにより極めて安価に封止部材を生産することができる。
【発明の効果】
【００２０】
以上説明したように本発明にかかる吊り戸棚によれば、扉の下端と略等しい高さの下面を備えた底板とを備え、上述した底板の前面は扉から所定間隔離隔することにより、扉の裏面と底板の間に形成された空間に手指を掛けて扉を開閉することができる。これにより、取っ手やくぼみを備えることなく、美観に優れた吊り戸棚を提供することができる。
【発明を実施するための最良の形態】
【００２１】
本発明にかかる吊り戸棚の実施形態について、図を用いて説明する。なお、以下の実施形態に示す寸法、材料、その他具体的な数値などは、発明の理解を容易とするための例示に過ぎず、特に断る場合を除き、本発明を限定するものではない。また本明細書及び図面において、実質的に同一の機能構成を有する構成要素については、同一の符号を付することにより重複説明を省略する。
【００２２】
（第一実施形態）
図１は第一実施形態にかかる吊り戸棚を含むシステムキッチンの外観斜視図である。システムキッチン１００は、対面式カウンタ１１０と、その上方に設置された吊り戸棚２００とから構成されている。
【００２３】
図１に示すように、対面式カウンタ１１０には、シンク１４０と、シンク１４０に対して湯水を供給する水栓１４２と、加熱調理器１４４と、加熱調理器１４４からの湯気および熱を屋外に放出するレンジフード１４６と、煙および熱をレンジフード１４６に案内する半透明の案内板１４８と、ワークトップ１５０と、が設けられている。さらに、軽食やおやつ等を楽しめるカフェテーブル１６０と、複数の椅子１６２と、本を収納可能なマガジン収納部１６４と、が含まれている。そして、カフェテーブル１６０は、キッチン本体側からの照明に照らされる。
【００２４】
図２に第一実施形態にかかる吊り戸棚２００の断面図を示す。吊り戸棚２００は、対面式カウンタ１１０の後方の壁面上部に設置されている。吊り戸棚２００は、一端にヒンジ２１２を有して開閉する１以上の扉２１０（本実施形態では２つ）を備えている。扉２１０の下端は、底板下面２２０ａと略等しい高さになっている。また吊り戸棚２００の内部には、棚板２２４が備えられている。
【００２５】
底板２２０の前面は、扉２１０を閉めた状態において、扉２１０から所定間隔離隔している。換言すれば、底板２２０の前面は側板２２２の前面よりも後退している。したがって扉２１０と底板２２０との間には、隙間が形成されている。この隙間は、封止部材２３０を配置することによって封止している。
【００２６】
図３（ａ）に封止部材２３０の拡大断面図を図３（ｂ）に封止部材２３０の斜視図を示す。図３（ａ）に示すように、扉２１０と底板２２０との間の隙間Ｄは、封止部材２３０によって封止している。封止部材２３０は、底板上面２２０ｂを延長する棚板部２３２と、底板前面２２０ｃに当接する位置決め部２３４とを備え、断面がほぼＴ字状となっている。棚板部２３２は一部が底板上面２２０ｂに被さり、連続的に延伸されて扉２１０に到っている。これにより封止部材２３０は、隙間Ｄから虫やホコリ等の汚染物が吊り戸棚２００内部に侵入するのを防ぐことができる。
【００２７】
位置決め部２３４は、棚板部２３２の下面に対してほぼ垂直に起立するリブとなっており、底板前面２２０ｃと当接することによって封止部材２３０の位置決めを行っている。これにより封止部材２３０を設置する際に、封止部材２３０が奥行き方向にずれるおそれがなくなり、容易に取り付けることができる。また位置決め部２３４の下端は底板下面２２０ａと同じ高さとなっており、底板前面２２０ｃの前面を被覆し、意匠性を高めている。
【００２８】
封止部材２３０の露出している下面２３０ａ（底板２２０に当接していない部分であって、位置決め部２３４よりも扉２１０側の部分）は、取り付けた状態において、底板下面２２０ａよりも高くなるように形成している。これにより扉２１０と底板２２０との間の隙間Ｄには、封止部材２３０の下面２３０ａ、位置決め部２３４、および扉２１０によって三方を囲まれた空間Ｗが形成される。この形成された空間Ｗの開放された下方から手指を挿入し、扉２１０に手をかけて開閉することができる。
【００２９】
空間Ｗの幅は、手指を挿入可能な幅であればよい。あまり狭くては指が入りにくくなり、広すぎては封止部材２３０による耐荷重が低下してしまう。そのため空間Ｗの幅は、１ｃｍ〜４ｃｍ程度の範囲であることが好ましく、例えば２ｃｍ程度とすることができる。また空間Ｗの高さ、すなわち封止部材２３０の下面２３０ａと底板下面２２０ａとの高さの差は、扉２１０の背面に指をかけることができる程度の高さであればよい。操作性を考えれば空間Ｗの高さは０．５ｃｍ以上あることが好ましい。一方、空間Ｗの高さを高くすると棚板部２３２の厚みが薄くなっていくので、空間Ｗの高さは例えば底板２２０の厚みと同程度とすることができる。
【００３０】
棚板部２３２は、吊り戸棚２００の奥側に向かって高さが低くなるように傾斜している。これにより棚板部２３２と底板上面２２０ｂとの段差を最小限に抑え、吊り戸棚２００の奥部に物品を円滑に出し入れすることができる。また奥側に向かって下がっていることから、吊り戸棚２００に収納された物品が落下するおそれを極めて少なくすることができる。
【００３１】
封止部材２３０の前面には、扉２１０に当接するパッキン２３６を一体的に備えている。このパッキン２３６が扉２１０に当接することにより、封止部材２３０と扉２１０の密閉率が向上し、虫やホコリ等の汚染物が吊り戸棚２００内部に侵入することを防いでいる。
【００３２】
パッキン２３６の材質は、扉２１０の押力によって変形し、封止部材２３０本体に密着しうる可撓性（たわむことのできる性質）を備えたものであればよい。例えば、ＡＢＳ（アクリロニトリルブタジエンスチレン共重合体）、ＥＶＡ（エチレン酢酸ビニル共重合体）、シリコンゴム、天然ゴム等の樹脂材料を好適に用いることができる。
【００３３】
図３（ｂ）に示すように、封止部材２３０は同一断面形状の長尺部材である。このため封止部材２３０本体は、樹脂材料を押出成形することによって好適に作成することができる。押出成形は、原料を装置に供給して金型から押し出し，特定の断面形状をもった連続体を成形する手法であるため、安価かつ大量に封止部材２３０を作成することができる。なおパッキン２３６は本体と同一材料によって一体的に形成してもよいが、パッキン２３６と本体とを２色成形してもよく、また接着により接合してもよい。
【００３４】
上記構成によれば、扉２１０の裏面と吊り戸棚２００の底板２２０の間に空間Ｗが形成される。そしてこの空間Ｗに手指を掛けることにより、容易に開閉することができる。したがって扉２１０の前面に取っ手を設けたり、扉２１０の側面にくぼみを設けたりする必要がなく、デザイン上の一体感が生じ、美観を向上させることができる。
【００３５】
ここで上述したように、扉２１０の下端は、底板下面２２０ａの高さとほぼ等しく構成している。これにより、吊り戸棚２００のデザイン上の一体感が生じ、美観を向上させることができる。換言すれば、例えば扉２１０の下端を底板下面２２０ａよりも突出させれば、その部分をあたかも取っ手のように把持して扉２１０を開閉することが可能である。しかし吊り戸棚２００は目線より上に設置されることを前提としており、そのように扉２１０の下端を突出させたのでは、形態上の乱雑感が増し、また容積は増えないのに扉２１０の面積ばかりが増大して圧迫感のみが強くなってしまう。しかし本実施形態の構成によれば、扉２１０の面積は必要最低限であり、また取っ手を必要としないことと相俟って、吊り戸棚２００全体として直方体に限りなく近づけることができるため、シンプルで簡潔な高級感をまとうことができる。
【００３６】
（第二実施形態）
本発明にかかる吊り戸棚２００の第二実施形態について説明する。図４は第二実施形態にかかる吊り戸棚２００を構成する底板２２０を上方向から見た図であって、上記した第一実施形態と説明が重複する部分については、同一の符号を付して説明する。
上記第一実施形態では、図２において、底板２２０の全幅に亘って扉２１０と離隔しているように示した。
【００３７】
これに対し第二実施形態では、底板の全部ではなく、一部のみを扉から所定間隔離隔している。
【００３８】
図４（ａ）に示すように、底板２２０の前面には、扉２１０の回動端２１０ａの近傍と対応する部分のみに、扉２１０から所定間隔離隔した底板前面２２０ｃを有している。そしてこの離隔した部分のみに、封止部材２３０を配置している。
【００３９】
すなわち、通常は扉２１０を開閉する際に、ヒンジ２１２から離れた回動端２１０ａ近傍に手指をかけるものであるから、回動端２１０ａ近傍のみに手指をかけられるようにすれば足りる。一方、このように必要な部分のみを後退させることにより、手指を回動端２１０ａ近傍に自動的に誘導することができる。
【００４０】
また図４（ｂ）に示すように、扉２１０の回動端２１０ａに対応する位置では離隔させず、それぞれの扉２１０の回動端２１０ａ近傍の一部のみを離隔させている。すなわち、扉２１０同士の境界部分は底板２２０が存在し、回動端２１０ａは底板に当接する。このように扉２１０ごとに空間Ｗを設けることによっても、手指を回動端２１０ａ近傍に自動的に誘導することができ、極めて確実かつ容易に吊り戸棚２００の扉２１０を開閉することができる。
【００４１】
また図４（ａ）、（ｂ）ともに底板前面２２０ｃの扉２１０から離隔していない部分には、パッキン２４０を設置しており、パッキン２４０が扉２１０に当接することにより、封止部材２３０と扉２１０の密閉率が向上し、虫やホコリ等の汚染物が吊り戸棚２００内部に侵入することを防いでいる。
【００４２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４３】
例えば上記実施形態では、キッチンに設置される吊り戸棚についての実施例を述べたが、かかる例に限られず、洗面所、浴室、トイレ等に設置される吊り戸棚としても利用することができる。
【産業上の利用可能性】
【００４４】
本発明は、キッチンなどにおいて上方に設置される吊り戸棚として利用することができる。
【図面の簡単な説明】
【００４５】
【図１】実施形態にかかる吊り戸棚を含むシステムキッチンの外観図である。
【図２】実施形態にかかる吊り戸棚の断面図である。
【図３】実施形態にかかる吊り戸棚を構成する封止部材の拡大断面図と外観斜視図である。
【図４】実施形態にかかる吊り戸棚の底板を上から見た図である。
【符号の説明】
【００４６】
１００  …システムキッチン
１１０  …対面式カウンタ
１２０  …ワークトップ
１４０  …シンク
１４２  …水栓
１４４  …加熱調理器
１４６  …レンジフード
１４８  …案内板
１５０  …ワークトップ
１６０  …カフェテーブル
１６２  …椅子
１６４  …マガジン収納部
２００  …吊り戸棚
２１０  …扉
２１０ａ  …回動端
２１２  …ヒンジ
２２０  …底板
２２０ａ  …底板下面
２２０ｂ  …底板上面
２２０ｃ  …底板前面
２２２  …側板
２２４  …棚板
２３０  …封止部材
２３０ａ  …下面
２３２  …棚板部
２３４  …位置決め部
２３６  …パッキン
２４０  …パッキン
【図１】
2008253325.tif 000003
【図２】
2008253325.tif 000004
【図３】
2008253325.tif 000005
【図４】
2008253325.tif 000006